(57)【特許請求の範囲】
【請求項１】
書込み可能な素材を有する光ディスク上のレーベル領域と、
前記レーベル領域に書き込むときに読取り可能であるように配置され、ディスクの速度データを伝達するディスク速度特徴部と、
前記レーベル領域に書き込むときに読取り可能であるように配置され、ディスクの角度方向向きデータを伝達するディスク角度方向特徴部と
を備える、光ディスクであって、
前記ディスク速度特徴部及び前記ディスク角度方向特徴部が、インコヒーレント光を使用するエンコーダによって読取られる、光ディスク。
【請求項２】
前記ディスク速度特徴部と前記ディスク角度方向特徴部とが、エンコーダにより読み取られるように構成されている環状リングを画定する請求項１に記載の光ディスク。
【請求項３】
前記ディスク角度方向特徴部が光ディスクのレーベル側のミラー領域内において画定されている請求項１に記載の光ディスク。
【請求項４】
前記ディスク角度方向特徴部が成形される請求項１に記載の光ディスク。
【請求項５】
光ディスクのラベル付与中に観察されるように構成されるディスク速度特徴部を成形するステップと、
前記光ディスクのラベル付与中に観察されるように構成されるディスク角度方向特徴部を画定するステップと、
前記光ディスクの前記レーベル面上のレーベル領域を、ＯＰＵにより書込み可能である被膜を用いてコーティングするステップと
を含む光ディスクを作製する方法であって、
前記ディスク速度特徴部及び前記ディスク角度方向特徴部が、インコヒーレント光を使用するエンコーダによって読取られる、方法。
【請求項６】
前記ディスク速度特徴部を成形するステップが鋸歯状特徴部を形成することを含む請求項５に記載の光ディスクを作製する方法。
【請求項７】
前記ディスク速度特徴部を成形するステップがピットを有さないエリアが散在するピットエリアを形成することを含む請求項５に記載の光ディスクを作製する方法。
【請求項８】
前記ディスク角度方向特徴部を画定するステップが前記光ディスクの平面上に光学的に読取り可能な印を画定するステップを含む請求項５に記載の光ディスクを作製する方法。
【請求項９】
前記ディスク角度方向特徴部を画定するステップが前記光ディスク内にディスク角度方向特徴部を成形するステップを含む請求項５に記載の光ディスクを作製する方法。
【発明の詳細な説明】
【技術分野】
【０００１】
本発明は、光ディスクに関し、特に、レーベル領域に書込むときに適切に位置決めすることができる光ディスクに関する。
【背景技術】
【０００２】
ＣＤは、長さが約３．５マイル（５．６ｋｍ）である、長いらせん状のデータトラックを有する。この連続したデータトラックは、ディスクの中心部分から外側部分へらせん形を描く。ポリカーボネートプラスチックディスクの上部表面上に、特徴部を成形することによってデータが形成される。このような特徴部の寸法は、ＣＤとＤＶＤとで異なることがあるが、寸法は幅が約０．５〜１．２μｍである。ＣＤ上の長く連続したデータらせんの隣接リングの中心線は、約１．６μｍだけ離れている場合がある。連続したデータらせん内のデータ特徴部は、上から観察したときに「ピット」のように見えるが、下から観察したときには「バンプ」である。データ読取りプロセス中に、バンプは光ディスクドライブの光ピックアップユニット（optical pickup unit:ＯＰＵ）によって下から観察される。中にピットが成形されるポリカーボネートプラスチックディスクの上部表面は、アルミニウム層で覆われ、このアルミニウム層は次にアクリル層、最終的にレーベルで覆われる。
【０００３】
ＣＤからデータを読取るプロセス中に、ドライブモータはディスクを回転させる。ドライブモータは、それぞれ、らせん外側部分が読み取られているかまたは内側部分が読み取られているかに応じて、２００〜５００ｒｐｍでディスクを正確に回転させることができる。データがＯＰＵを通過する角速度は、データがＯＰＵによって読み取られる一定速度を維持するために微調整されることができる。たとえば、データが、速過ぎるかまたは遅過ぎるレートで読み取られている場合に応答して、スピンドルモータにわずかな修正が行われて、ディスク速度回転の所望のレートにさらに近づくことができる。こうしたフィードバックを使用して、ディスクの中心から漸進的に遠くにあるトラック上の場所が読み取られるにつれて、ディスク回転速度が漸進的に減少する可能性がある。
【０００４】
レーザと、レンズ系と、センサとを通常含むＯＰＵを保持するスレッドは、データが読み取られるにつれて、ディスクの内側から外側へ移動する。スレッドモータは、読み取られているらせん部分の下の位置から、レーザビームがＣＤ内に成形されたらせんデータトラックに追随することができるように、ＯＰＵを保持するスレッドの移動を案内する。らせん内のデータ要素の寸法が極端に小さいために、トラッキング機構の精度が重要である。
【０００５】
スレッドモータは、データらせんの所望の部分の下で、ＯＰＵを適切に位置決めするのに必要とされる精度を補助無しでは達成できない。したがって、トラッキングセンサは、スレッドモータに一定のフィードバックを提供する。フィードバックは、データトラックらせんの正確な位置をセンサが観測することに基づくものでよい。
【０００６】
トラッキングセンサを使用しても、トラッキング機構の精度が、十分に適切でない場合がある。ＯＰＵの精度をさらに高度な公差内に収めるために、ＯＰＵのレーザがそれによって少し変位する変位機構の動作を調整するための、変位センサが必要とされる場合がある。必要な場合に、変位機構はレーザをわずかな角度で照準を合わせることができ、それによってＯＰＵを保持するスレッドの位置のわずかな誤差が補償される。変位センサおよび関連回路機構は、スレッドよりずっと少ない容積を有する要素をずっと短い距離にわたって移動させるために、変位機構がＯＰＵの動作を微調整することができる。
【０００７】
ＯＰＵは、通常、光ディスクからデータを読取るために使用されるが、最近の進歩によって、ＯＰＵが適切な被膜を塗布したＣＤのレーベルに画像を描くことが可能になっている。ＣＤを逆さまに向け、そのＣＤをＣＤドライブ内に設置することによって被膜を描画することができる。ＣＤが逆さまであるため、ＯＰＵ内のレーザの接触によって活性化することができる。レーザを印加することによって、被膜内に含有される化学物質を活性化して画像が形成される。
【０００８】
残念ながら、レーベルに描画するプロセス中、ＯＰＵを正確に位置決めすることが難しい。トラッキングセンサおよび変位センサは、これらのセンサが検知するように設計されたタイプのらせんデータトラックがディスクのレーベル面上に無いために、作動することができない。したがって、ディスク回転の角速度およびディスクの角度方向の向き（orientation）は、知ることおよび正確に制御することが難しい。結果として、ＯＰＵによってレーベル面に塗布される任意の画像は、歪み、かつ傷ができるか、または画像の解像度が所望されたものより劣るか、もしくはそれらの両方である場合がある。
【０００９】
ＤＶＤは同様に構成されるが、通常、いくつかのデータ層がその上に成形される複数のポリカーボネートプラスチック層を有する。したがって、ＤＶＤ上のレーベルへ画像を描画することは、ＣＤのレーベルへ画像を付与する時に見られるのと同じ問題の多くを含む。
【００１０】
光ディスクは、書込み可能な素材を有するレーベル領域を含む。ディスク速度特徴部は、レーベル領域に書き込む時にこれらの特徴部が読取り可能であるように配置される。
【００１１】
以下の詳細な説明は添付図面を参照する。図では、参照数字の最も左の数値（複数可）は、参照番号が最初に現れる図（Ｆｉｇ．）を特定する。さらに、同じ参照番号は、図面全体を通して、同じ特徴部および構成部品を参照するように使用される。
【００１２】
光ディスクは、ディスクのレーベル側に画像を描くことを可能にするように構成される。ディスクは特徴部を含み、これらの特徴部は成形することも、シルクスクリーン印刷する、もしくは、その他の方法で形成するか、または塗布することができ、ディスクの向き（すなわち、光ドライブ内でディスクのレーベル側が向けられる方向）、画像塗布プロセス中の回転速度および角度方向向き情報（すなわち、ディスクドライブ内で、ディスクの中心から始まり、ディスクの周辺上の任意の点を通過する光線が指す方向）を提供する。光ディスクドライブはエンコーダを収容し、このエンコーダは特徴部をモニターし、それによって始めにディスクの向きを検出し、その後、ディスク速度および角度方向の向きをモニターし、光ディスクのレーベル面への描画が補助される。例示的な一実施態様では、ＯＰＵに対するディスク速度（すなわち、ＯＰＵが半径方向外側に移動するにつれて、一定に変動するＲＰＭをもたらす、媒体がＯＰＵ（光ピックアップユニット）を通過する速度）は、スピンドルモータによって、＋／−０．０２％内で、０．２５メートル／秒に保持される。これによって６００ｄｐｉ（ドット／インチ）の４分の１の精度で画像を描くことが可能になり、２４００ｄｐｉの有効解像度が得られる。一部はスピンドルモータの品質の問題のため、また、一部はＯＰＵに対するディスク速度がＯＰＵの半径方向距離の関数であるために、必要とされる精度を維持するためにスピンドルモータに対する調整が、各回転中に所定間隔で必要とされる場合がある。
【００１３】
図１は、ディスクの画像すなわちレーベル面（一般にデータ面と反対の面）へ画像を付与するように構成された、第１の例示的な光ディスク１００の等角図である。ディスク１００は、ＣＤ、ＤＶＤ、または同様な光ディスクであってもよい。中央穴１０２は、領域１０４によって囲まれ、この領域１０４は、作製プロセスに応じて、ミラーの外観であってもなくてもよい。レーベル領域１０６は、ＯＰＵが書込み可能な（すなわち、以下でより詳細に見られるように、光ピックアップユニットによって書込み可能な）素材でコーティングされる。テキストまたはグラフィックなどの画像１０８を、ラベル付けプロセス中に、レーベル領域１０６に付与することができる。
【００１４】
ラベル付けプロセスは、特徴部１１０を読取ることを含む可能性があり、これらの特徴部１１０は、最初に、ディスクの向き（すなわち、ディスクドライブ内で、ディスクの所与の平坦面がどの方向に向けられるか）に関する情報を提供し、次に、ディスク速度（角速度、または回転速度すなわちＲＰＭ）およびディスクの角度方向の向きに関する情報を提供する。例示的な光ディスク１００では、特徴部１１０は、ディスクのレーベル側に画像を描きながら、観測を可能にするように画定される。通常、特徴部は、ディスクのレーベル面にあるが、代替の構成では、特徴部１１０はディスクのデータ面か、またはディスクの内部の層上に画定されるであろう。
【００１５】
例示的な光ディスク１００の特徴部１１０は、ディスク速度特徴部１１２のリングを含む。（以下で見られるように）エンコーダによって検出されると、ディスク速度特徴部１１２は、光ディスク１００の回転速度に関する情報を提供する。例示的な光ディスク１００では、ディスク速度特徴部１１２は、高い光反射率と低い光反射率の規則パターンを提供するように所定間隔で配置された成形エリアを含む。成形されたディスク速度特徴部１１２の構造の例示的な詳細は、図３〜図６に見られ、以下でより詳細に説明されるであろう。一実施態様では、ディスク速度特徴部１１２は成形され、別の実施態様では、この特徴部は、ディスク上に印刷するか、シルクスクリーン印刷するか、またはその他の方法で作製できる。
【００１６】
例示的な光ディスク１００の特徴部１１０は、ディスク角度方向特徴部１１４も含む。（以下で見られるように）エンコーダによって検出されると、ディスク角度方向特徴部１１４は、回転中の光ディスク１００の角度方向の向き（すなわち、ディスクドライブ内で、ディスクの中心から始まり、ディスクの周辺上の任意の点を通過する光線がどの方向を指すか）に関する情報を提供する。ディスクの角度方向の向きに関する情報は、画像塗布プロセス中にレーベル領域１０６の角度方向の向きに関する情報を示唆するため、画像１０８をレーベル領域１０６に描く時に重要である。例示的なディスク１００では、ディスク角度方向特徴部１１４は、高い光反射率と低い光反射率の不規則パターンを提供するように所定間隔で配置された成形エリアを含む。成形された特徴部の構造の例示的な詳細は、図３〜図６に見られ、以下でより詳細に説明する。別法として、特徴部１１４は、ディスク上に印刷するか、シルクスクリーン印刷するか、またはその他の方法で作製できる。
【００１７】
光ディスク１００の例示的なディスク角度方向特徴部１１４は、サイズが異なる複数の平坦な光反射エリアによって分離された大きな特徴部１１６と小さな特徴部１１８とを含む。パターンは、不規則であり、かつ／または多数の半径方向軸について対称でないため、ディスクが光ディスクドライブ内で回転する時に、特徴部１１４を観測することによって、ディスク１００の角度方向の向きを求めることが可能である。たとえば、単一の大きな特徴部１１６および複数の小さな特徴部１１８が存在する場合、ディスクの角度方向の向きを容易に求めることができる。
【００１８】
図２は、ディスク速度特徴部２０２およびディスク角度方向特徴部２０４のさらなる例示的な図を示す、第２の光ディスク２００の垂直図である。第２ディスク２００のディスク角度方向特徴部２０４は、通常、ＤＶＤ上での適用に適している。この場合、ディスク速度特徴部２０２は、エンコーダ４０６（図４）によって読み取られることができ、また、ディスク角度方向特徴部２０４は、光ディスクドライブ７００（図７の説明に見られる）のＯＰＵ７１０（光ピックアップユニット）によって読み取る。
【００１９】
ディスク速度特徴部２０２は、ディスク速度特徴部１１２（図１）と同じであるが、多層ＤＶＤディスクの内層上に成形する場合がある。ディスク角度方向特徴部２０４は、同様に成形してもよく、または、シルクスクリーン印刷または同様な作製プロセスによって作製してもよい。ディスク角度方向特徴部２０４は、ディスク速度特徴部の半径方向内側または外側で、光ディスク２００の中心から任意の所望の半径方向距離の場所に環状に分布してもよい。図１および図２は、例示的なディスク速度特徴部およびディスク角度方向特徴部を提供するが、他の実施態様が可能である。たとえば、ディスク速度特徴部およびディスク角度方向特徴部は、組み合わされて、両方２０２、２０４に存在する情報を有する特徴部の環状のリングにされてもよい。
【００２０】
図３は、第１の例示的な成形されたディスク速度特徴部（たとえば、図１から１１２）または成形されたディスク角度方向特徴部（たとえば、図１から１１６または１１８）の詳細を示す拡大図である。たとえば、例示的な成形された特徴部は、示すように、鋸歯状領域３０２に似ている可能性がある。鋸歯状領域３０２は、光を分散させる傾向があり、それによって、反射光の量を大幅に減らす。対照的に、平坦面を有する反射領域３０４は光を反射する。反射される光量の差によって、以下でより詳細に見られるように、センサが鋸歯状領域３０２と反射領域３０４とを区別することが可能になる。
【００２１】
図４は、元々図３に見られる鋸歯状領域３０２の断面図である。こうした鋸歯状領域３０２を使用して、図１の成形された特徴部１１２、１１６、または１１８などの、例示的な成形されたディスク速度特徴部またはディスク角度方向特徴部が形成されることができる。鋸歯の表面４０２は、センサまたはエンコーダ４０６によって送出される入射(incoming)光４０４に対して垂直ではなく、したがって、反射光４０８をエンコーダから離れた方に反射する傾向がある。
【００２２】
図４のセンサまたはエンコーダ４０６は、光技術、磁気技術、または他の技術に基づくことができる。一実施態様では、エンコーダ４０６は、光ディスク１００に光を送り、ディスク速度特徴部１１２およびディスク角度方向特徴部１１６、１１８の鋸歯状領域３０２などの反射の少ない領域と、これらの特徴部に隣接または間在する反射の多い領域３０４とを区別するように構成される。一実施態様では、エンコーダ４０６は、光ピックアップユニット（ＯＰＵ）（図７を参照されたい）によって読取り可能および／または書込み可能な領域から離れた、ディスク１００の中心から半径方向の一定距離のところに配置されてもよい。エンコーダ４０６は、ディスク１００の表面に、従来の（すなわち、コヒーレントでない、コリメーションされていない、レーザでない）光４０４、またはレーザ（すなわち、コヒーレントな、コリメーションされた光）を送出し、光４０４またはレーザは、反射面３０４で反射するとエンコーダに戻るが、そこでは、反射４０８は、鋸歯状領域３０２によってエンコーダ４０６には実質的に戻らない。レーザ（すなわち、コリメーションされるか、またはコヒーレントな）光によってのみ動作するように構成された従来のデータピットと異なり、面は、従来の光およびレーザ光によって変位するように構成される。さらに、明るい色と暗い色との差を利用する技術と異なり、面４０２は光を吸収するのではなく、光を変位させることによって機能する。そしてさらに、種々の低コスト光源がエンコーダ４０６内で使用されるために組み込まれてもよく、また鋸歯状面３０２と共に使用されてもよい。
【００２３】
図５および図６は、第２の例示的な成形されたディスク速度または角度方向特徴部５０２の拡大した構造の詳細を概略的に示し、それらの特徴部の複数が特徴部１１２、１１６、１１８の形成に適すると思われる。成形された特徴部５０２は、ＣＤまたはＤＶＤ内で層を形成するポリカーボネートプラスチック内で画定されてもよい。成形された特徴部５０２は、光を変位するための、非平坦面すなわち光変位面５０４を有する「ピット」であってもよい。図５および図６の例では、ピット内の光変位特徴部５０４は円錐であるが、入射光に対して垂直でない面を有する代替の構造に置き換えられることができる。成形された特徴部５０２（ピット）は、（図７の説明において再び見られるように）エンコーダ４０６によって走査されることができ、このエンコーダ４０６は、光を、成形された特徴部５０２へ送出する。光変位特徴部５０４は、光を反射してエンコーダ４０６に戻さないため、エンコーダは、それに応じて、プロセッサまたはコントローラに信号を送信する。
【００２４】
図７は、ディスク速度の計算を可能にするために、成形されたディスク速度特徴部１１２（図１）を読取るように構成されたエンコーダ４０６を特に示す、例示的な光ディスクドライブ７００の略図である。エンコーダ４０６は、ディスク角度方向特徴部１１４（図１）を読取るように適宜構成してもよい。別法として、ＯＰＵ７１０を使用して、以下で見られるように、ＯＰＵが動作してもよい範囲内に配置した、成形またはシルクスクリーン印刷したディスク角度方向特徴部２０４（図２）が読み取ってもよい。
【００２５】
情報面７０２を有するディスク１００は、マーキングのためにラベル面７０４を位置決めするように向きを調整される。ディスク１００は、スピンドルコントローラ７０８によって制御される、ディスクまたはスピンドルモータ７０６によって回転する。画像は、ＯＰＵ７１０（光ピックアップユニット）によってディスク１００のラベルエリア１０６（図１）に塗布される。ＯＰＵ７１０は、スレッドモータ７１４およびスレッドコントローラ７１６またはスイッチングデバイスによって移動するスレッド７１２上で、ラベルエリア１０６の上を半径方向に移動する。画像は、レーザビーム７１８によってラベル領域１０６に付与され、このレーザビーム７１８は被膜と反応して画像を形成する。レーザビーム７１８を生成するレーザ７２０は、コントローラ７２２または同様なスイッチングデバイスによって制御される。
【００２６】
例示的な光ディスクドライブ７００では、エンコーダ４０６は、通常、ＯＰＵ（光ピックアップユニット）７１０によって読取り可能な領域の半径方向内側または外側にあるディスク上の情報を読取ることができる。たとえば、エンコーダ４０６は、ディスク速度特徴部および／またはディスク角度方向特徴部に相当するデータ特徴部１１０（図１）を読取ることができる。有利には、エンコーダ４０６は、ＯＰＵ７１０が光ディスク１００の別の部分に対してデータを読取り、または書き込むのと同時に、光ディスク１００上の第１の場所からデータを読取ることができる。
【００２７】
エンコーダ４０６は、光４０４（図４）を送出することによってデータを読み取って、反射光の量を区別することによって成形された特徴部のあるエリアを成形された特徴部の無いエリアと区別する。エンコーダによって読み取られることができる例示的な成形された特徴部が図１〜図６に見られる。読取りプロセスによって、ディスク向き情報ならびにディスク速度およびディスクの角度方向の向き情報を伝達する信号が生ずる。信号は、エンコーダコントローラ７２４によって解釈されてもよいし、またはコントローラ７２６に直接転送されてもよい。
【００２８】
コントローラ７２６は、ソフトウェアまたはファームウェア７２８を実行して、ＯＰＵ７１０と、スレッドモータ７１４と、スピンドルモータ７０６とエンコーダ４０６との動作全体を制御することができる。ファームウェア７２８コードは、エンコーダ４０６を、成形されたディスク速度特徴部１１２および／または成形されたディスク角度方向特徴部１１４を読取ることを可能にしてもよい。ファームウェアコードはまた、ＯＰＵ７１０が、通常ラベル領域１０６内の、成形、印刷および／またはシルクスクリーン印刷されたディスク角度方向特徴部２０４を読取ることを可能にしてもよい。
【００２９】
図８は、エンコーダ４０６を有する例示的な光ディスクドライブを使用して、ディスクの向き情報、ディスク速度情報、および／またはディスクの角度方向の向き情報を伝達するために、成形および／またはシルクスクリーン印刷された特徴部１１０（または、２０２、２０４など）を有するように構成された光ディスク１００に画像を塗布することができる例示的な方法８００を示すフローチャートである。方法８００の要素は、ファームウェア７２８内に含まれる制御手順によってか、またはコントローラまたはプロセッサ７２６によって実行される他のソフトウェアによって実施されることができる。ブロック８０２において、ディスク速度特徴部および／またはディスク角度方向特徴部は、エンコーダ４０６および／またはＯＰＵ７１０によって検出される。これらの特徴部の検出を使用して、ディスク１００が、光ディスクドライブ７００内で適切に向きが調整されているかどうか、または、ユーザが、ディスクを逆さまにするように要求されるべきかどうかが判断されることができる。ブロック８０４にて、成形されたディスク速度特徴部１１２の検出から生ずるエンコーダ出力信号が解釈され、それによって、ディスクの速度データが生成される。エンコーダ４０６は、ディスク速度特徴部の無いエリアおよび有るエリアから反射された光または反射されていない光を検知し、検出されたか、または検出されていない反射に応答して信号を作成する。ブロック８０６にて、解釈されたディスク速度信号、すなわち、ディスクの速度データを使用して、適切な命令をディスクモータ７０６に送出することによってディスク速度を増加または減少させる。一般に、ＯＰＵ７１０がディスクの中心から遠い場合、ディスクの角速度は低いレートに維持される。さらに、解釈されたディスク速度信号を使用して、ラベルマーキングプロセス中のＯＰＵ７１０の動作も確定される。ブロック８０８において、ディスク角度方向特徴部１１４がトラッキングされて、ディスクの角度方向向きデータが生成される。任意の時点のディスクの角度方向の向きに関する情報を提供する、ディスクの角度方向向きデータは、ラベルマーキングプロセスで使用される。ディスク角度方向特徴部は、成形された特徴部１１４または場合によってはシルクスクリーン印刷された特徴部２０４であってもよい。ディスク角度方向特徴部は、エンコーダ４０６またはＯＰＵ７１０のいずれかによってトラッキングされてもよい。ブロック８０６および８０８は、通常ファームウェア７２８内に配置される制御手順の機能を規定し、この制御手順はエンコーダからのディスクの速度データを描画中のＯＰＵと協働させる。ブロック８１０において、光ディスクのラベル面の被膜がＯＰＵ７１０によってマーキングされる。ＯＰＵ７１０からのレーザ光は、熱および／または光の暴露によって促された反応を生成することによって被膜にマーキングする。ＯＰＵは、ディスク速度特徴部１１２の観察からのディスク速度情報およびディスク角度方向特徴部１１４の観察からのディスクの角度方向向き情報を使用して、ＯＰＵのレーザ７２０をオン／オフする正確な時間を確定し、ならびにＯＰＵ７１０の場所を制御するスレッドモータ７１４の正確な動作が確定される。
【００３０】
図９は、ディスク速度特徴部１１２およびディスク角度方向特徴部１１４を有する光ディスク１００を構築することができる例示的な方法９００を示すフローチャートである。方法９００の要素は、手入力によってまたは作製施設内のソフトウェアまたはハードウェア内に含まれる制御手順によって実施してもよい。ブロック９０２において、通常光ディスクのラベル面から読み取られるように、ディスク速度特徴部１１２が光ディスク上に画定される。ＤＶＤのように、光ディスクが多層である場合に、ディスク速度特徴部は内層に成形してもよい。ブロック９０４に見られる第１の代替法では、ディスク速度特徴部１１２は鋸歯状特徴部（たとえば、図３および図４の３０２）の形態で成形してもよい。ブロック９０６に見られる第２の代替法では、成形されたピット（図５および図６の５０２）には、成形された特徴部の無いエリアが散在する。ブロック９０７に見られる第３の代替法では、シルクスクリーン印刷されたエリアには、シルクスクリーン印刷されたマーキングまたは特徴部の無いエリアが散在する。
【００３１】
ブロック９０８において、通常光ディスクのラベル面から読み取れるように、ディスク角度方向特徴部１１４、２０４などが形成される。ブロック９１０に見られる第１の代替法では、特徴部２０４に似たシルクスクリーン印刷されたマーキングなどの光学的に読取り可能な印を、通常ディスクの外側層上に形成してもよい。ブロック９１２に見られる第２の代替法では、ディスク角度方向特徴部は、光ディスク内に成形される。たとえば、ディスク角度方向特徴部１１４、２０４は、ＤＶＤディスクの内側層または外側層内に成形したり、エンコーダ４０６による読取りのためにＣＤまたはＤＶＤの半径方向の内側の場所に成形してもよい。
【００３２】
ブロック９１４において、光ディスクのラベル面のラベル領域を、ＯＰＵで書込み可能な素材でコーティングしてもよい。たとえば、熱反応性被膜を塗布し、それによって、ＯＰＵが被膜を反応させることによって画像を描くことが可能になる。
【００３３】
本開示は、構造上の特徴および／または方法ステップに固有の言語で述べられたが、添付請求の範囲は、述べられる特定の特徴またはステップに限定されないことが理解されるべきである。むしろ、特定の特徴およびステップは、本開示を実施する例示的な形態である。たとえば、フロー図のブロックで述べる動作を、他のブロックで述べる動作と並列に実施してもよいが、動作を、交互の順番で起こるか、または動作を他の２つ以上の動作と関連させるように分散してもよい。さらに、開示される方法の要素は、任意の所望の方法で実施されることが意図されるが、ＲＯＭ、ディスク、またはＣＤ-ＲＯＭなどのコンピュータまたはプロセッサ読取り可能媒体から読取る、通常プリンタ内に配置された、コンピュータおよび／またはプロセッサによって実施されるコンピュータまたはプロセッサ読取り可能命令は、方法の全てまたは一部を実施する好ましい手段であることが予想される。さらに、ＣＤおよびＤＶＤの両方が参照されたが、本明細書で述べる要素のほとんどが、一般的にディスクに、特に光ディスクに適用される。したがって、ＣＤおよびＤＶＤへの参照は、例のためのみであり、こうした例は、光ディスク（たとえば、ＣＤまたはＤＶＤ）などの、任意のタイプのディスクに関する変形および／または改良を通常含む、より大きく、かつ、より一般的な概念を表す。同様に、ディスク速度特徴部１１２およびディスク角度方向特徴部１１４が特別なマーキングとして示されたが、所望であれば、一部の実施態様では、それらを組み合わせることができるであろう。こうした組み合わせは、一部の適用においては、より効率的である場合がある。
【図面の簡単な説明】
【００３４】
【図１】例示的なディスク速度特徴部およびディスク角度方向特徴部を示す、光ディスクの等角図である。
【図２】ディスク速度特徴部およびディスク角度方向特徴部のさらなる例示的な図を示す、第２の光ディスクの垂直図である。
【図３】「鋸歯」構造を有するディスク速度またはディスク角度方向特徴部の例示的な詳細を示す拡大図である。
【図４】図３の４−４ラインに沿って切り取った、図３の例示的詳細の断面図である。
【図５】第２の例示的なディスク速度および／または角度方向特徴部の拡大図である。
【図６】図５の６−６ラインに沿って切り取った、図５の例示的詳細の断面図である。
【図７】ディスク速度および／または角度方向の向きの計算を可能にするために、ディスク速度特徴部および／またはディスク角度方向特徴部を読取るように構成されたエンコーダを特に示す、例示的な光ディスクドライブの概略図である。
【図８】エンコーダを有する例示的な光ディスクドライブを使用して、成形されたディスクの速度特徴部および／または角度方向特徴部を有するように構成された光ディスクに画像を塗布することができる例示的な方法を示すフローチャートである。
【図９】ディスクの速度特徴部および／または角度方向特徴部を有する光ディスクを構成することができる例示的な方法を示すフローチャートである。
【符号の説明】
【００３５】
１００  光ディスク
７０６  ディスクモータ
７０８  スピンドルモータ
７１０  光ピックアップユニット
７１２  スレッド
７１４  スレッドモータ
７１６  スレッドコントローラ
７２２  ＯＰＵ  コントローラ
７２４  エンコーダコントローラ
７２６  コントローラ
７２８  ファームウェア
【図１】
0004459909.tif 000002
【図２】
0004459909.tif 000003
【図３】
0004459909.tif 000004
【図４】
0004459909.tif 000005
【図５】
0004459909.tif 000006
【図６】
0004459909.tif 000007
【図７】
0004459909.tif 000008
【図８】
0004459909.tif 000009
【図９】
0004459909.tif 000010